(57)【要約】      （修正有）【課題】帽子にタオルなどを鉢巻き状に巻き付け可能とすることによって、通常のタオルと同様に汗拭きや手拭きなどに利用可能で、しかも頭部保護や広告手段としても利用可能な多用途型の鉢巻き付き帽子を提供する。【解決手段】サンバイザーを含む帽子の外周にタオル、手拭い、鉢巻き、スカーフなどの長布材を鉢巻き状に巻き付けた状態に装着可能とした。したがって、汗拭きや手拭きに兼用できるだけでなく、転倒した場合や危険な場所における頭部保護にもなる。また、長布材を利用して広告や識別表示にもなり、スカーフなどの場合は、おしゃれやファッションにもなる。【選択図】図１
0003111545.tif 000002
【実用新案登録請求の範囲】
【請求項１】
サンバイザーを含む帽子の外面にタオル、手拭い、鉢巻き、スカーフなどの長布材を鉢巻き状に巻き付けた状態に装着可能としたことを特徴とする鉢巻き付き帽子。
【請求項２】
前記のように長布材を鉢巻き状に巻き付けた状態に装着可能とする手段は、帽子などの外面にゴム様の伸縮性バンド通しの両端がズボンのバンド通しのように間隔をおいて固定されており、各伸縮性バンド通しの中に長布材を挿通可能な構成となっていることを特徴とする請求項１に記載の鉢巻き付き帽子。
【請求項３】
前記のように長布材を鉢巻き状に巻き付けた状態に装着可能とする手段は、ズボンのバンド通しのように間隔をおいて固定された各バンド通しの一端は帽子などに固定されており、他端は着脱構造になっていることを特徴とする請求項１に記載の鉢巻き付き帽子。
【請求項４】
前記のように長布材を鉢巻き状に巻き付けた状態に装着可能とする手段は、ズボンのバンド通しのように間隔をおいて固定された各バンド通しの両端が帽子などに固定されて、中間部で分離しており、かつ互いに伸縮式に連結可能となっていることを特徴とする請求項１に記載の鉢巻き付き帽子。
【請求項５】
前記の帽子の一部に鉛筆やボールペンなどの筆記具を挿通できる筆記具保持手段を設けてあることを特徴とする請求項１から請求項４までのいずれかの項に記載の鉢巻き付き帽子。
【請求項６】
前記の帽子の外面に鉢巻き状に巻き付ける長布材に広告や識別目的の表示がされていることを特徴とする請求項１から請求項５までのいずれかの項に記載の鉢巻き付き帽子。
【請求項７】
前記の帽子および／又は長布材に、少なくとも携帯電話機、補聴器又は携帯ラジオを取付け支持可能となっていることを特徴とする請求項１から請求項６までのいずれかの項に記載の鉢巻き付き帽子。
【考案の詳細な説明】
【技術分野】
【０００１】
本考案は、サンバイザーを含む帽子にタオルなどの長布材を鉢巻き状に巻き付け可能とした鉢巻き付き帽子に関する。
【背景技術】
【０００２】
特開平７−216620号公報によると、タオルや手拭い、ハンカチ等の布材を帽子側に離脱可能に引っ掛けて止めるための帽子用布材引っ掛け具を実現すべく、帽子の側面に固定する固定板の下部表面に顎部を突設して、その顎部上面に複数本の可撓性の針状ピンを固定板表面とほぼ平行に並べて植設する構成が提案されている。その結果、使用に際しては、布材に針状ピンを突き刺して、布材を針状ピンの周囲に引っ掛けて止めることができる。
【特許文献１】特開平７−216620
【考案の開示】
【考案が解決しようとする課題】
【０００３】
このような構成によると、面ファスナーを用いた構成に比べて、耐久性が増し、かつ繰り返し離脱可能という利点は有るが、タオルなどで首や顔などを覆って日光や風雨が直接当たるのを防げるというだけであって、そのタオルや手拭いなどで汗を拭いたり、頭部を打撲などから防いだりするといった、多用途は不可能である。また、顔や首の周りを覆っているタオルなどが邪魔になる。
【０００４】
本考案の技術的課題は、このような問題に着目し、帽子にタオルなどを鉢巻き状に巻き付け可能とすることによって、顔や首の周りを覆って邪魔になることなく、通常のタオルと同様に汗拭きや手拭きなどに利用可能で、しかも頭部保護や広告手段としても利用可能な多用途型の鉢巻き付き帽子を実現することにある。
【課題を解決するための手段】
【０００５】
本考案の技術的課題は次のような手段によって解決される。請求項１は、サンバイザーを含む帽子の外周にタオル、手拭い、鉢巻き、スカーフなどの長布材を鉢巻き状に巻き付けた状態に装着可能としたことを特徴とする鉢巻き付き帽子である。帽子は、ひさしや鍔の有る無しは関係なく、また材質や形状も限定されず、頭部に被る物であれば、何でもよい。したがって、サンバイザーも含まれるものとする。
【０００６】
このように、帽子の外周にタオル、手拭い、鉢巻き、スカーフなどの長布材を鉢巻き状に巻き付けた状態に装着可能としたため、帽子の外周にタオル、手拭い、鉢巻き、スカーフなどの長布材を鉢巻き状に巻き付けた状態に頭部に被ると、汗拭きや手拭きに兼用できるだけでなく、転倒した場合や危険な場所における頭部保護にもなる。また、長布材を利用して広告も可能となり、スカーフなどの場合は、おしゃれやファッションにもなる。ツアー客などが夏場に団体行動する際に、全員に本考案の帽子を与えて、鉢巻きなどの長布材に識別表示を付しておけば、他の団体客との判別が容易になり、汗拭きにも兼用できる。
【０００７】
請求項２は、前記のように長布材を鉢巻き状に巻き付けた状態に装着可能とする手段は、帽子などの外面にゴム様の伸縮性バンド通しの両端がズボンのバンド通しのように間隔をおいて固定されており、各伸縮性バンド通しの中に長布材を挿通可能な構成となっていることを特徴とする請求項１に記載の鉢巻き付き帽子である。このように、長布材を鉢巻き状に巻き付けた状態に装着可能とする手段は、帽子などの外面にゴム様の伸縮性バンド通しの両端がズボンのバンド通しのように間隔をおいて固定されており、各伸縮性バンド通しの中に長布材を挿通可能な構成となっているため、ゴムの張力に抗して、伸縮性バンド通しの中を強引に押し広げるだけで、長布材を挿通することができ、しかも容易に離脱することはない。また、長布材を各バンド通しから容易に引き抜くことができる。
【０００８】
請求項３は、前記のように長布材を鉢巻き状に巻き付けた状態に装着可能とする手段は、ズボンのバンド通しのように間隔をおいて固定された各バンド通しの一端は帽子などに固定されており、他端は着脱構造になっていることを特徴とする請求項１に記載の鉢巻き付き帽子である。このように、前記の長布材を鉢巻き状に巻き付けた状態に装着可能とする手段は、ズボンのバンド通しのように間隔をおいて固定された各バンド通しの一端は帽子などに固定されており、他端は着脱構造になっているため、他端の着脱部を外して、バンド通しの内側に長布材をセットしてから、他端を帽子側に装着固定すれば、長布材の取付けが容易になる。
【０００９】
請求項４は、前記のように長布材を鉢巻き状に巻き付けた状態に装着可能とする手段は、ズボンのバンド通しのように間隔をおいて固定された各バンド通しの両端が帽子などに固定され、中間部で分離しており、かつ互いに伸縮式に連結可能となっていることを特徴とする請求項１に記載の鉢巻き付き帽子である。このように、各バンド通しの両端が帽子などに固定され、中間部で分離しており、かつ互いに伸縮式に連結されているため、中間の伸縮部で分離したり、伸縮部を延ばした状態で長布材をセットしてから、伸縮部を連結したり、延ばした状態を締めたりすれば、容易に長布材を取付けることができる。
【００１０】
請求項５は、前記の帽子の一部に鉛筆やボールペンなどの筆記具を挿通できる筆記具保持手段を設けてあることを特徴とする請求項１から請求項４までのいずれかの項に記載の鉢巻き付き帽子である。このように、前記の帽子の一部に鉛筆やボールペンなどの筆記具を挿通できる筆記具保持手段を設けてあると、筆記具を取付け保持できる上着やカバンなどを所持していない場合でも、本考案の帽子を被っている限り、筆記具の保持も可能となる。
【００１１】
請求項６は、前記の帽子の外面に鉢巻き状に巻き付ける長布材に広告や識別目的の表示がされていることを特徴とする請求項１から請求項５までのいずれかの項に記載の鉢巻き付き帽子である。このように、前記の帽子の外面に鉢巻き状に巻き付ける長布材に広告や識別目的の表示がされていると、各種イベントなどで本考案の帽子を被ると、広告効果が大きく、また識別にもなり、ファッション効果も期待できる。
【００１２】
請求項７は、前記の帽子および／又は長布材を利用して、少なくとも携帯電話機、補聴器又は携帯ラジオを取付け保持可能となっていることを特徴とする請求項１から請求項６までのいずれかの項に記載の鉢巻き付き帽子である。このように、前記の帽子および／又は長布材を利用して、少なくとも携帯電話機、補聴器又は携帯ラジオを取付け保持可能となっていると、携帯電話機や補聴器、携帯ラジオなどを手に持たないでも、本考案の帽子を被っただけで、携帯電話機や補聴器、携帯ラジオを聴くことが可能となる。
【考案の効果】
【００１３】
請求項１のように、帽子の外周にタオル、手拭い、鉢巻き、スカーフなどの長布材を鉢巻き状に巻き付けた状態に装着可能としたため、帽子の外周にタオル、手拭い、鉢巻き、スカーフなどの長布材を鉢巻き状に巻き付けた状態に頭部に被ると、汗拭きや手拭きに兼用できるだけでなく、転倒した場合や危険な場所における頭部保護にもなる。また、長布材を利用して広告も可能となり、スカーフなどの場合は、おしゃれやファッションにもなる。ツアー客などが夏場に団体行動する際に、全員に本考案の帽子を与えて、鉢巻きなどの長布材に識別表示を付しておけば、他の団体客との判別が容易になり、汗拭きにも兼用できる。
【００１４】
請求項２長布材を鉢巻き状に巻き付けた状態に装着可能とする手段は、帽子などの外面にゴム様の伸縮性バンド通しの両端がズボンのバンド通しのように間隔をおいて固定されており、各伸縮性バンド通しの中に長布材を挿通可能な構成となっているため、ゴムの張力に抗して、伸縮性バンド通しの中を強引に押し広げるだけで、長布材を挿通することができ、しかも容易に離脱することはない。また、長布材を各バンド通しから容易に引き抜くことができる。
【００１５】
請求項３のように、前記の長布材を鉢巻き状に巻き付けた状態に装着可能とする手段は、ズボンのバンド通しのように間隔をおいて固定された各バンド通しの一端は帽子などに固定されており、他端は着脱構造になっているため、他端の着脱部を外して、バンド通しの内側に長布材をセットしてから、他端を帽子側に装着固定すれば、長布材の取付けが容易になる。
【００１６】
請求項４のように、各バンド通しの両端が帽子などに固定され、中間部で分離しており、かつ互いに伸縮式に連結されているため、中間の伸縮部で分離したり、伸縮部を延ばした状態で長布材をセットしてから、伸縮部を連結したり、延ばした状態を締めたりすれば、容易に長布材を取付けることができる。
【００１７】
請求項５のように、前記の帽子の一部に鉛筆やボールペンなどの筆記具を挿通できる筆記具保持手段を設けてあると、筆記具を取付け保持できる上着やカバンなどを所持していない場合でも、本考案の帽子を被っている限り、筆記具の保持も可能となる。
【００１８】
請求項６のように、前記の帽子の外面に鉢巻き状に巻き付ける長布材に広告や識別目的の表示がされていると、各種イベントなどで本考案の帽子を被ると、広告効果が大きく、また識別にもなり、ファッション効果も期待できる。
【００１９】
請求項７のように、前記の帽子および／又は長布材を利用して、少なくとも携帯電話機、補聴器又は携帯ラジオを取付け保持可能となっていると、携帯電話機や携帯ラジオなどを手に持たないでも、本考案の帽子を被っただけで、携帯電話機や携帯ラジオを聴くことが可能となる。
【考案を実施するための最良の形態】
【００２０】
次に本考案による鉢巻き付き帽子が実際上どのように具体化されるか実施形態を説明する。図１は本考案による鉢巻き付き帽子の実施形態を説明する斜視図である。１は帽子であり、ひさし部２がついているキャップを例示している。３は長布材であり、例えばタオルを想定している。４はバンド通しであり、例えば幅が約１センチ以内、長さが４〜６センチ程度で伸縮性のあるゴム様帯状材からなっている。この実施形態では、帽子１の外周に所定の間隔をおいて、両端を縫い付け固定してある。したがって、ちょうど、ズボンのバンド通しのような格好になる。
【００２１】
したがって、使用に際しては、各バンド通し４の内部から押し拡げてタオル３を挿通することによって、タオル３を帽子１の外周に取付け支持することができる。この帽子１を被っている際に、汗をかいたりした場合は、タオル３の後頭部に垂れている部分３ａで汗を拭くことができる。もちろん、タオル３をバンド通し４から抜き取って汗拭きに使ってもよい。このタオル３に代えて、手拭いや運動会用の鉢巻き、スカーフなどをバンド通し４の内部に挿通して使用することもできる。前記の後頭部に垂れている部分３ａは、後頭部や首背面の日焼け防止にもなる。これらの長布材には、広告などの表示１１を設けることもできる。ツアー客の帽子１に目立つ色の長布材３を用いることで、他のツアー客との識別もできる。
【００２２】
帽子１として、ひさしつきのキャップを例示したが、ひさし２の無いハットの外周にバンド通し３を間隔をおいて取付けておくこともできる。あるいは、サンバイザーの日除けひさしを取付けるゴムバンドの幅を広くして、バンド通し４を間隔をおいて取付けることもできる。
【００２３】
図２は、バンド通しの他の実施形態である。図２のバンド通し４ａは、その一端は、帽子１に取付け固定してある。例えば、帽子１の内面に縫い付け固定してから、帽子１の外側に出した状態で、他端の自由端５の内面にオスホック６を縫い付け固定してある。一方、帽子１側の外面には、前記のオスホック６とペアーを成す相手側のメスホック７を縫い付け固定してある。このバンド通し４ａは、図１のバンド通し４と同様に伸縮性のある材質がよいが、伸縮性無しの素材でもよい。
【００２４】
このように、バンド通し４ａの他端５を、帽子側に固定した相手ホック７と着脱できる構造にしてある。その結果、ペアーのホック６と７を外した状態で、帽子１の外周にタオルなどの長布材をセットしてから、バンド通し４ａの先端のオスホック６を帽子側のメスホック７に嵌入して固定すれば、長布材の取付け固定が可能となる。ペアーのホック６と７を分離すれば、帽子１から長布材を取り外すのは容易である。なお、メスホック７に代えて、帽子１側に、オスホック６の突起部の外径よりわずかに大きめの切り目を入れておき、この切り目にオスホック６の突起部を押し込んで挿入し固定する構造も可能である。
【００２５】
図２では、ペアーのホック６・７を例示したが、ホック６・７に代えて、通常のボタンやマジックテープ（登録商標）と呼ばれている面フャスナーを用いることもできる。あるいは、永久磁石を用いることもできる。したがって、バンド通し４ａの自由端５を帽子１側に着脱する手段は、これら以外も可能であり、ホック６・７やボタン、永久磁石、面フャスナーに限定されない。
【００２６】
図３はＡタイプとＢタイプの二つの実施形態を図示してある。Ａタイプは、（１）のように、バンド通しの両端が帽子１の下端と上側に縫い付け固定されている。そして、中間部で分離しているが、バックル８などで互いに連結される。すなわち、下側のバンド通し４ｂの先端にバックル８を取付けておき、帽子１の外周に長布材をセットしてから、その上からバックル８を上側に曲げて、上側のバンド通し４ｃをバックル８に挿入して止める。こうしてバックル８に挿入した状態を断面図で示すと、（２）のようになる。なお、先にバックル８で連結して、バンド通しを完成してから、図１のゴムバンド式と同様にバンド通しの中に長布材を挿入して保持することもできる。また、バックル８を連結した状態で長さ調節もできるので、伸縮式としても機能する。バンド通しを延ばした状態で、バックル８をセットしておけば、内部に挿通されている長布材を強く締めつけないでも保持できる。
【００２７】
これに対し、Ｂタイプのように、長めのバンド通し４ｄの根元を帽子１に縫い付け固定しておき、他方には、バンド通し４ｄを挿入して折り返せるように、バンド通し引っ掛け金具９を取付け固定しておくこともできる。使用に際しては、バンド通しのバックル８より先端側を金具９の下側から上向きに挿通して、上側から折り返して、再度バックル８に通すと、（４）のように連結されて、バンド通しが形成される。
【００２８】
図４は、足袋のかかと止めフックと同様なフックｆを用いた例であり、帽子の左側・右側のフックｆを全部後向きに（又は前向きに）取付けておき、（３）のように、長布材３を引き抜く際に各フックｆ…は一斉に外れるので、迅速に引き抜く場合に有効である。すなわち、（１）のようにバンド通し４ｅの先端にフックｆを後向きに固定しておき、帽子１側には、図３の掛け金具９と同様な止め金具９を縦向きに固定しておく。以上は、帽子の左側半分であるが、図の後方の右側半分も同様に後向きにフックｆを取付ける。
【００２９】
そして、長布材をセットしてから、（２）のように、各後向きフックｆを、矢印ａ１のように、帽子１側の縦方向金具９の中に後向きに挿入すると、長布材の取付け完了である。そして、布材３を外すときは、（３）のように、長布材３の中間部を掴んで強引に矢印ａ２方向に引っ張ると、帽子の左右両側のすべてのフックｆ…が一斉に外れて、長布材３もバンド通し４ｅ…から外れることになる。逆に各フックｆ…を前向きに取付け、縦方向金具９…の中に前向きに挿入する構成にすると、帽子１の後頭部側から長布材を引き抜くことができる。
【００３０】
このほか、図４（３）のように、帽子１の一部に、例えば筒状の筆記具挿入部１０を設けておけば、鉛筆やボールペンなどの筆記具を挿通できる。したがって、筆記具を携帯できる上着やカバンなどを所持しないで、屋外に居るような場合に、筆記具挿入部１０に、鉛筆やボールペンなどの筆記具を挿通して保持できるので、便利である。
【００３１】
近年は、電子技術の進歩によって、携帯ラジオは非常に小型化されている。したがって、本考案の帽子１の外面に小さなポケットを形成しておけば、その中に小型の携帯ラジオを収納することもできる。帽子の両耳付近にポケットを形成して携帯ラジオを収納しておけば、イヤホンのコードも極めて短くできる。同様にして補聴器を収納し、イヤホンで聴くこともできる。近い将来、携帯電話機も小型化されれば、携帯ラジオに代えて携帯電話機を収納保持し、イヤホンで通話することもできる。送話器も、本考案の帽子１に任意の手段で取付け固定する構造にすれば、より簡便となる。なお、長布材側にポケットを形成することもできる。
【産業上の利用可能性】
【００３２】
以上のように、本考案の鉢巻き付き帽子によると、帽子の外面にタオル、手拭い、鉢巻き、スカーフなどの長布材を鉢巻き状に巻きつけ可能なため、タオルなどで汗を拭けるだけでなく、頭部保護の効果もあり、また広告性やファッション性も増し、ツアーの団体客の識別などにも利用できる。さらに、筆記具の保持や携帯ラジオ・携帯電話機・補聴器の保持・聴き取り・通話などにも利用できる。
【図面の簡単な説明】
【００３３】
【図１】本考案による鉢巻き付き帽子の基本構成を説明する斜視図である。
【図２】バンド通しのホック式固定構造の例である。
【図３】バンド通しのバックル式固定構造の例である。
【図４】バンド通しの着脱部の一斉離脱構造の実施形態である。
【符号の説明】
【００３４】
１  帽子
２  ひさし部
３  長布材
４〜４ｅ  バンド通し
５  他端（自由端）
６  オスホック
７  メスホック７
８  バックル
ｆ  足袋式フック
９  引っ掛け金具
１０  筆記具挿入部
１１  広告表示
【図１】
0003111545.tif 000003
【図２】
0003111545.tif 000004
【図３】
0003111545.tif 000005
【図４】
0003111545.tif 000006